(57)【要約】【課題】  化粧をする際に目安となる補助線が化粧用鏡の鏡面に付加された化粧用鏡を提供する【解決手段】  化粧用鏡の本体１０の鏡面２に垂直線３が付加されており、またその垂直線と直角に交わるように、化粧用鏡の本体１０の鏡面２に水平線４が付加されている。【選択図】図１
0003164443.tif 000002
【実用新案登録請求の範囲】
【請求項１】
化粧をする際に用いる化粧用鏡において、化粧の目安となる補助線を、化粧用鏡の鏡面に付加したことを特徴とする、化粧ガイド付鏡。
【請求項２】
請求項１記載の補助線が、直線による垂直線および水平線であることを特徴とする化粧ガイド付鏡。
【請求項３】
請求項１記載の補助線が、鏡部材の表面に直接描かれることを特徴とする化粧ガイド付鏡。
【請求項４】
請求項１記載の補助線が、透明部と反射部の間に描かれることを特徴とする化粧ガイド付鏡。
【請求項５】
請求項１記載の補助線が、垂直線および水平線が描かれた、透明フィルムシートを化粧鏡に貼付けることで、鏡面に付加されることを特徴とする化粧ガイド付鏡。
【請求項６】
請求項１記載の補助線を、複数の小鏡部材を組み合わせることであらわれる、垂直線および水平線をとしたことを特徴とする化粧ガイド付鏡。
【請求項７】
請求項１記載の補助線が、可動することで必要な時だけ鏡面上にあらわれることを特徴とする化粧ガイド付鏡。
【請求項８】
請求項１記載の補助線が、スイッチ操作によってあらわれる、点灯式であることを特徴とする化粧ガイド付鏡。
【考案の詳細な説明】
【技術分野】
【０００１】  本考案は、手鏡、立て鏡、コンパクトミラー等の化粧用鏡に関するものである。
【背景技術】
【０００２】  化粧を行う際には、化粧用鏡の鏡面に映る顔を見ながら化粧をするのだが、化粧の仕上がり度合いは、化粧をする人の技量に左右される。【０００３】  化粧を美しく仕上げるためには、左右対称に化粧が仕上がることが重要である。具体的には、左右の眉を描く際にその形が左右で異なるように描いてしまったり、鼻筋をまっすぐに強調させるような化粧をする際に鼻筋が曲がってがって見えるように化粧してしまっては、美しい仕上がりは望めないことになる。【０００４】  そのため化粧用鏡に、左右対称に化粧をしたり、まっすぐに化粧をする際に、目安があればよいのだが、実情は勘にたよった化粧となって不便であった。【０００５】  そもそも人の顔は、額から顎にいたる中心線を基準として、完全な左右対称形ではなく、微妙にバランスがズレていたり歪んでいるものであり、鏡に写してもそのズレや歪みはなかなか気づかないものである。【０００６】  そのため、日常的に顔のバランスのズレや歪みを認識し、普段から整えるように意識した顔面体操を心がけていても、化粧鏡の鏡面には目安は無いため、架空の目安を想定した上での、やはり勘に頼った顔面体操となっていた。
【先行技術文献】
【特許文献】
【０００７】
【特許文献１】  特開２００３−２２５１１６号公報
【特許文献２】  実用新案登録第３１３５２８９号公報
【考案の概要】
【考案が解決しようとする課題】
【０００８】  しかしながら、特開２００３−２２５１１６号公報に記載された化粧鏡は、必要な部分を拡大して写し出すことができるものの、勘にたよった化粧となる問題がある。また、実用新案登録第３１３５２８９号公報に記載された手鏡は、証明が十分でない所でも化粧ができるものの、やはり勘にたよった化粧となる問題がある。【０００９】  そのため化粧する際に、勘にたよらなくてもよいように、化粧をする際や、顔のバランスを整える際の、目安が要求される。【００１０】  また、化粧する際には利き手で化粧をし、もう一方の手で化粧用鏡を持つため、化粧用鏡の鏡面と、目安が一体となった形態が要求される。
【課題を解決するための手段】
【００１１】  本考案は、上記の課題に鑑みてなされたものであって、化粧をする際の目安となる補助線が、化粧用鏡の鏡面と一体となって付加された、化粧用鏡を提供することを目的とするものである。【００１２】  上記の課題を解決するために、本考案は、化粧用鏡の鏡面に垂直線が付加されており、またその垂直線と直角に交わるように化粧鏡の鏡面に水平線が付加されている。
【考案の効果】
【００１３】  上記のように構成された本考案の化粧ガイド付鏡によれば、化粧用鏡の鏡面の垂直線が垂直方向の目安となる補助線となり、またその垂直線と直角に交わる化粧鏡の鏡面の水平線が水平方向の目安となる補助線となって、鏡に映る顔を見ながら、容易に確認できるようになるので、左右対称に化粧を仕上げることができ、また顔のバランスのズレや歪みを容易に認識した上で、顔面体操をおこなうことができる。
【図面の簡単な説明】
【００１４】
【図１】本考案の一実施例の形態による化粧ガイド付鏡を示す斜視図である。
【図２】図１の化粧ガイド付鏡の使用状態を示す正面図である。
【図３】垂直線および水平線を、鏡面に描いて付加する一例を示す、一部を切り欠いた斜視図である。
【図４】垂直線および水平線を、透明部と反射部の間に描いて付加する一例を示す、一部を切り欠いた斜視図である。
【図５】垂直線および水平線が描かれた透明フィルムシートを、化粧鏡に貼付けて付加する一例を示す斜視図である。
【図６】小鏡部材を組み合わせて、垂直線および水平線を付加する一例を示す斜視図である。
【図７】垂直線および水平線が可動する、一例を示す斜視図である。
【図８】照明装置による点灯式の、垂直線および水平線の一例を示す、一部を切り欠いた斜視図である。
【考案を実施するための形態】
【００１５】  この実施例による化粧ガイド付鏡は、図１に示すように、化粧用鏡の鏡面２に垂直線３および水平線４が付加されている。また、図２の使用状態に示すように、鏡面に付加された水平線４によって、左の眉が下がっていることが確認でき、補助線が目安としての機能を有していることがわかる。
【００１６】  垂直線３および水平線４を付加する方法は、図３に示すように、鏡部材３０の表面に、垂直線および水平線が直接描かれる。
【００１７】  図４に示すように、鏡部材が、透明部３１と反射部３２の組み合わせによる場合は、透明部３１と反射部３２の間に垂直線および水平線を描くことで、透明部３１を透過して表面にあらわれる。破線は透明部３１を透過して見える垂直線および水平線を示している。
【００１８】  図５に示すように、垂直線３と水平線４が描かれた、透明フィルムシート３５を鏡面２に貼付けることで、結果、垂直線３と水平線４が、化粧用鏡の鏡面２にあらわれる。
【００１９】  垂直線３と水平線４を描くには、スクリーン印刷、タンポ印刷、インクジェット印刷、転写、レーザーエッチング、サンドブラストがふさわしいが、これに限定される必要はなく、垂直線３と水平線４が簡単に消失してしまうことのない方法によってあらわされればよい。
【００２０】  図６に示すように、小鏡部材４１、４２、４３、４４を組み合わせることで、十時状に垂直線３および水平線４があらわれる。この場合の垂直線３および水平線４は、小鏡部材４１、４２、４３、４４を十字状に組み合わせる過程であらわれる境界線である。
【００２１】  垂直線および水平線は、化粧の目安となる補助線となるものであるから、鏡面上に常時あらわれている形態に限定される必要はなく、補助線としての機能が必要な時だけあらわれる形態としてもよい。
【００２２】  前記の実施例として、図７に示す化粧ガイド付鏡は、枠１に設けた溝５１、５２をまたいで可動する垂直線３と、溝５３、５４をまたいで可動する水平線４によって、必要な時だけ垂直線３および水平線４が、鏡面２の上に移動することを特徴としている。この場合は、溝５１、５２と、溝５３、５４をそれぞれまたいでまっすぐに張られた糸状の垂直線３と水平線４によって補助線があらわされる。また必要な時だけあらわれる、可動式の補助線であればよいのであって、補助線の形状は、糸状に限定するものではない。
【００２３】  図８に示すように、スイッチ操作によって鏡面裏の発光部が作動し補助線があらわれる、点灯式の補助線としてもよい。点灯式なため、電源設備や照明設備が必要となるため、片手で取り扱えるほどの小型の化粧鏡ではなく、化粧台の鏡面といった、固定式の化粧鏡に実施してもよい。破線は透明部３１を透過して見える垂直線および水平線の照明装置を示している。
【００２４】  垂直線および水平線は、化粧の目安となる補助線となるものであるから、曲線ではなく、直線であらわされる。
【００２５】  必ずしも垂直線および水平線が、１本ずつ２本ともに必要ではなく、垂直線のみでも、もしくは水平線のみでも、化粧の目安となる補助線としての機能を有すればよいため、おのおの１本のみがあらわれてもよい。
【００２６】  前記で示すように、化粧の目安となる補助線としての機能を有すればよいため、垂直線のみ平行に複数本あらわれてもよく、同様に水平線のみ平行に複数本あらわれてもよい。
【００２７】  垂直線は鏡面の上端から下端を、水平線は鏡面の右端から左端を結ぶ線としてあらわされるが、化粧の目安となる補助線としての機能を有すれば、垂直線は鏡面の上端と下端に届かなくてもよく、同様に水平線は鏡面の右端と左端に届かなくてもよい。
【符号の説明】
【００２８】１  枠
２  鏡面
３  垂直線
４  水平線
１０本体
２０鏡面に写した顔
３０鏡部材
３１透明部
３２反射部
３５透明フィルムシート
４１左上小鏡部材
４２左下小鏡部材
４３右上小鏡部材
４４右下小鏡部材
５１垂直線上用溝
５２垂直線下用溝
５３水平線左用溝
５４水平線右用溝
６０発光部
６１スイッチ
【図１】
0003164443.tif 000003
【図２】
0003164443.tif 000004
【図３】
0003164443.tif 000005
【図４】
0003164443.tif 000006
【図５】
0003164443.tif 000007
【図６】
0003164443.tif 000008
【図７】
0003164443.tif 000009
【図８】
0003164443.tif 000010
【手続補正書】
【提出日】平成22年9月13日(2010.9.13)
【手続補正１】
【補正対象書類名】実用新案登録請求の範囲
【補正対象項目名】全文
【補正方法】変更
【補正の内容】
【実用新案登録請求の範囲】
【請求項１】
化粧をする際に用いる化粧用鏡において、化粧の目安となる補助線を、化粧用鏡の鏡面に付加したことを特徴とする、化粧ガイド付鏡。
【請求項２】
前記補助線が、直線による垂直線および水平線であることを特徴とする請求項１記載の化粧ガイド付鏡。
【請求項３】
前記補助線が、鏡部材の表面に直接描かれることを特徴とする請求項２記載の化粧ガイド付鏡。
【請求項４】
前記補助線が、透明部と反射部の間に描かれることを特徴とする請求項２記載の化粧ガイド付鏡。
【請求項５】
前記補助線が、垂直線および水平線が描かれた、透明フィルムシートを化粧鏡に貼付けることで、鏡面に付加されることを特徴とする請求項１記載の化粧ガイド付鏡。
【請求項６】
前記補助線を、複数の小鏡部材を組み合わせることであらわれる、垂直線および水平線をとしたことを特徴とする請求項１記載の化粧ガイド付鏡。
【請求項７】
鏡面周囲の枠の左右上下の四方に設けられた溝に沿って可動する可動部を設け、左右の可動部をまたぐように張られた糸状材および上下の可動部をまたぐように張られた糸状材が前記補助線となり、可動部を溝に沿って可動させることにより、可動部とともに前記補助線が鏡面上を可動することを特徴とする請求項２記載の化粧ガイド付鏡。
【請求項８】
前記補助線が、スイッチ操作によってあらわれる、点灯式であることを特徴とする請求項２記載の化粧ガイド付鏡。